(57)【要約】【課題】  キートップの安定した動作を確保すると共に小型化を図る。【解決手段】  内部に所定の各部が配置された筐体と、筐体に配置された操作ユニットとを設け、操作ユニットが、押圧操作されて移動され移動方向を軸方向とした軸回り方向において離隔する少なくとも三つのカム係合部を有するキートップと、カム係合部がそれぞれ摺動自在に係合され軸回り方向において離隔する少なくとも三つのカム部を有すると共にキートップが押圧操作されたときにカム係合部とカム部が摺動されて軸回り方向へ回転される回転カムと、キートップを押圧操作されて移動される方向と反対方向へ付勢する付勢バネとを設けた。【選択図】        図６
2012209191.tif 000002
【特許請求の範囲】
【請求項１】
内部に所定の各部が配置された筐体と、
前記筐体に配置された操作ユニットとを備え、
前記操作ユニットが、
押圧操作されて移動され移動方向を軸方向とした軸回り方向において離隔する少なくとも三つのカム係合部を有するキートップと、
前記カム係合部がそれぞれ摺動自在に係合され前記軸回り方向において離隔する少なくとも三つのカム部を有すると共に前記キートップが押圧操作されたときに前記カム係合部と前記カム部が摺動されて前記軸回り方向へ回転される回転カムと、
前記キートップを押圧操作されて移動される方向と反対方向へ付勢する付勢バネとを備えた
電子機器。
【請求項２】
前記カム係合部がそれぞれ前記キートップの外周部に設けられ、
前記カム部がそれぞれ前記回転カムの外周部に設けられた
請求項１に記載の電子機器。
【請求項３】
前記カム係合部と前記カム部の一方が前記軸方向に対して傾斜された溝状又は穴状に形成され他方が軸状に形成された
請求項１に記載の電子機器。
【請求項４】
前記付勢バネが前記回転カムの外周部に沿って配置された
請求項１に記載の電子機器。
【請求項５】
前記操作ユニットに前記回転カムを回転自在に支持するベース体が設けられ、
前記ベース体に前記キートップを前記移動方向へ案内するガイド部を設けた
請求項１に記載の電子機器。
【請求項６】
前記操作ユニットに前記キートップが押圧操作されたときの機能と異なる機能を実行する操作摘子が設けられ、
前記操作摘子を前記ベース体として用いた
請求項５に記載の電子機器。
【請求項７】
前記操作摘子が前記軸回り方向へ回転されて操作され、
前記キートップと前記回転カムが前記操作摘子と一体になって回転されるようにした
請求項６に記載の電子機器。
【請求項８】
押圧操作されて移動され移動方向を軸方向とした軸回り方向において離隔する少なくとも三つのカム係合部を有するキートップと、
前記カム係合部がそれぞれ係合され前記軸回り方向において離隔する少なくとも三つのカム部を有すると共に前記キートップが押圧操作されたときに前記カム係合部の前記カム部に対する作用により前記軸回り方向へ回転される回転カムと、
前記キートップを押圧操作されて移動される方向と反対方向へ付勢する付勢バネとを備えた
操作ユニット。
【発明の詳細な説明】
【技術分野】
【０００１】
本技術は電子機器及び操作ユニットについての技術分野に関する。詳しくは、キートップが押圧操作されたときに少なくとも三つのカム係合部がカム部に作用し回転カムが回転されるようにしてキートップの安定した動作を確保すると共に小型化を図る技術分野に関する。
【背景技術】
【０００２】
記録再生装置、音声記録再生装置、撮像装置、ネットワーク通信装置、パーソナルコンピューターやＰＤＡ（Personal Digital Assistant）等の情報処理装置等の各種の電子機器には、所定の操作を行うための操作ユニットが設けられている。
【０００３】
操作ユニットには、例えば、スチルカメラ等の撮像装置に設けられるシャッター等のように、押圧操作によって動作される操作釦を有するものがあり（例えば、特許文献１参照）、操作釦は、例えば、コイルバネによって支持されている。
【０００４】
操作釦は指が接触されるキートップを有し、キートップが押圧操作されると、押圧された方向へコイルバネの付勢力に反して移動され、押圧操作が解除されることによりコイルバネの付勢力によって移動され操作前の元の位置に戻るようにされている。
【０００５】
【特許文献１】特開２００７−１８９２９９号公報
【発明の開示】
【発明が解決しようとする課題】
【０００６】
ところが、上記した従来の電子機器にあっては、操作釦がコイルバネによって支持されているため、例えば、キートップに対する押圧位置が中央部以外の位置であると、操作釦が傾斜した状態で移動され操作釦の安定した動作が行われなくなり品位が損なわれたり誤操作を生じるおそれがある。
【０００７】
そこで、移動方向に延びるガイド部を設けて操作釦の安定した動作を確保するようにした電子機器がある。
【０００８】
しかしながら、このような移動方向に延びるガイド部を設ける場合には、操作釦の安定した動作を確保するためにガイド部を長くすることが好ましく、ガイド部を長くすることにより小型化に支障を来たすと言う問題が生じてしまう。
【０００９】
そこで、本技術電子機器は、上記した問題点を克服し、キートップの安定した動作を確保すると共に小型化を図ることを課題とする。
【課題を解決するための手段】
【００１０】
電子機器は、上記した課題を解決するために、内部に所定の各部が配置された筐体と、前記筐体に配置された操作ユニットとを備え、前記操作ユニットが、押圧操作されて移動され移動方向を軸方向とした軸回り方向において離隔する少なくとも三つのカム係合部を有するキートップと、前記カム係合部がそれぞれ摺動自在に係合され前記軸回り方向において離隔する少なくとも三つのカム部を有すると共に前記キートップが押圧操作されたときに前記カム係合部と前記カム部が摺動されて前記軸回り方向へ回転される回転カムと、前記キートップを押圧操作されて移動される方向と反対方向へ付勢する付勢バネとを備えたものである。
【００１１】
従って、電子機器にあっては、キートップが押圧操作されたときに軸回り方向において離隔する複数のカム係合部とカム部が摺動されてキートップが移動されると共に回転カムが回転される。
【００１２】
上記した電子機器においては、前記カム係合部がそれぞれ前記キートップの外周部に設けられ、前記カム部がそれぞれ前記回転カムの外周部に設けられることが望ましい。
【００１３】
カム係合部がそれぞれキートップの外周部に設けられ、カム部がそれぞれ回転カムの外周部に設けられることにより、キートップが押圧操作されたときに傾斜されない。
【００１４】
上記した電子機器においては、前記カム係合部と前記カム部の一方が前記軸方向に対して傾斜された溝状又は穴状に形成され他方が軸状に形成されることが望ましい。
【００１５】
カム係合部とカム部の一方が軸方向に対して傾斜された溝状又は穴状に形成され他方が軸状に形成されることにより、溝状又は穴状に形成されたカム係合部又はカム部と軸状に形成されたカム部又はカム係合部とが摺動自在に係合される。
【００１６】
上記した電子機器においては、前記付勢バネが前記回転カムの外周部に沿って配置されることが望ましい。
【００１７】
付勢バネが回転カムの外周部に沿って配置されることにより、付勢バネが回転カムの外周部から外方へ突出して配置されない。
【００１８】
上記した電子機器においては、前記操作ユニットに前記回転カムを回転自在に支持するベース体が設けられ、前記ベース体に前記キートップを前記移動方向へ案内するガイド部を設けることが望ましい。
【００１９】
操作ユニットに回転カムを回転自在に支持するベース体が設けられ、ベース体にキートップを移動方向へ案内するガイド部を設けることにより、ガイド部を設けるための専用の部材が不要になる。
【００２０】
上記した電子機器においては、前記操作ユニットに前記キートップが押圧操作されたときの機能と異なる機能を実行する操作摘子が設けられ、前記操作摘子を前記ベース体として用いることが望ましい。
【００２１】
操作ユニットにキートップが押圧操作されたときの機能と異なる機能を実行する操作摘子が設けられ、操作摘子をベース体として用いることにより、操作摘子が回転操作される機能を有する他に、回転カム及びキートップを支持するベース体としても機能する。
【００２２】
上記した電子機器においては、前記操作摘子が前記軸回り方向へ回転されて操作され、前記キートップと前記回転カムが前記操作摘子と一体になって回転されるようにすることが望ましい。
【００２３】
操作摘子が軸回り方向へ回転されて操作され、キートップと回転カムが操作摘子と一体になって回転されるようにすることにより、操作摘子の回転がキートップの操作に支障を来たさない。
【００２４】
操作ユニットは、上記した課題を解決するために、押圧操作されて移動され移動方向を軸方向とした軸回り方向において離隔する少なくとも三つのカム係合部を有するキートップと、前記カム係合部がそれぞれ摺動自在に係合され前記軸回り方向において離隔する少なくとも三つのカム部を有すると共に前記キートップが押圧操作されたときに前記カム係合部と前記カム部が摺動されて前記軸回り方向へ回転される回転カムと、前記キートップを押圧操作されて移動される方向と反対方向へ付勢する付勢バネとを備えたものである。
【００２５】
従って、操作ユニットにあっては、キートップが押圧操作されたときに軸回り方向において離隔する複数のカム係合部とカム部が摺動されてキートップが移動されると共に回転カムが回転される。
【発明の効果】
【００２６】
本技術電子機器は、内部に所定の各部が配置された筐体と、前記筐体に配置された操作ユニットとを備え、前記操作ユニットが、押圧操作されて移動され移動方向を軸方向とした軸回り方向において離隔する少なくとも三つのカム係合部を有するキートップと、前記カム係合部がそれぞれ摺動自在に係合され前記軸回り方向において離隔する少なくとも三つのカム部を有すると共に前記キートップが押圧操作されたときに前記カム係合部と前記カム部が摺動されて前記軸回り方向へ回転される回転カムと、前記キートップを押圧操作されて移動される方向と反対方向へ付勢する付勢バネとを備えている。
【００２７】
従って、キートップが押圧操作されたときに傾斜され難くキートップの安定した動作が行われ誤操作を防止することができると共にキートップの傾斜を防止するための押圧方向に延びるガイド部を設ける必要がなく電子機器の小型化を図ることができる。
【００２８】
請求項２に記載した技術にあっては、前記カム係合部がそれぞれ前記キートップの外周部に設けられ、前記カム部がそれぞれ前記回転カムの外周部に設けられている。
【００２９】
従って、キートップが押圧操作されたときに傾斜されることがなく、キートップの一層安定した動作を確保することができる。
【００３０】
請求項３に記載した技術にあっては、前記カム係合部と前記カム部の一方が前記軸方向に対して傾斜された溝状又は穴状に形成され他方が軸状に形成されている。
【００３１】
従って、回転カムとキートップが簡素な構造によって係合され、電子機器の構造の簡素化を図ることができる。
【００３２】
請求項４に記載した技術にあっては、前記付勢バネが前記回転カムの外周部に沿って配置されている。
【００３３】
従って、付勢バネが回転カムから外方へ突出して配置されず、電子機器の小型化を図ることができる。
【００３４】
請求項５に記載した技術にあっては、前記操作ユニットに前記回転カムを回転自在に支持するベース体が設けられ、前記ベース体に前記キートップを前記移動方向へ案内するガイド部を設けている。
【００３５】
従って、ガイド部を設けるための専用の部材を必要とせず、部品点数の削減及び小型化を図ることができる。
【００３６】
請求項６に記載した技術にあっては、前記操作ユニットに前記キートップが押圧操作されたときの機能と異なる機能を実行する操作摘子が設けられ、前記操作摘子を前記ベース体として用いている。
【００３７】
従って、操作摘子が回転操作される機能の他に、回転カム及びキートップを支持するベース体としても機能し、一層の部品点数の削減及び一層の小型化を図ることができる。
【００３８】
請求項７に記載した技術にあっては、前記操作摘子が前記軸回り方向へ回転されて操作され、前記キートップと前記回転カムが前記操作摘子と一体になって回転されるようにしている。
【００３９】
従って、操作摘子の回転がキートップの操作に支障を来たすことがなく、操作摘子とキートップの動作の信頼性を確保することができる。
【００４０】
本技術操作ユニットは、押圧操作されて移動され移動方向を軸方向とした軸回り方向において離隔する少なくとも三つのカム係合部を有するキートップと、前記カム係合部がそれぞれ摺動自在に係合され前記軸回り方向において離隔する少なくとも三つのカム部を有すると共に前記キートップが押圧操作されたときに前記カム係合部と前記カム部が摺動されて前記軸回り方向へ回転される回転カムと、前記キートップを押圧操作されて移動される方向と反対方向へ付勢する付勢バネとを備えている。
【００４１】
従って、キートップが押圧操作されたときに傾斜され難くキートップの安定した動作が行われ誤操作を防止することができると共にキートップの傾斜を防止するための押圧方向に延びるガイド部を設ける必要がなく操作ユニットの小型化を図ることができる。
【発明を実施するための最良の形態】
【００４２】
以下に、本技術電子機器及び操作ユニットを実施するための最良の形態を添付図面に従って説明する。
【００４３】
以下に示した最良の形態は、本技術電子機器をデジタルスチルカメラに適用し本技術操作ユニットをこのデジタルスチルカメラに設けられた操作ユニットに適用したものである。
【００４４】
但し、本技術の適用範囲はデジタルスチルカメラ及びこれに設けられた操作ユニットに限られることはない。本技術電子機器は、ディスク記録再生装置等の記録媒体を用いる記録再生装置、音声の記録や再生を行う音声記録再生装置、画像や映像を撮影する撮像装置、一方向又は双方向の送受信を行うネットワーク通信装置、パーソナルコンピューターやＰＤＡ（Personal Digital Assistant）等の情報処理装置等の他の各種の電子機器に広く適用することができる。また、本技術操作ユニットは、これらの各種の電子機器に設けられた操作ユニットに広く適用することができる。
【００４５】
以下の説明にあっては、電子機器（デジタルスチルカメラ）の撮影時において撮影者から見た方向で前後上下左右の方向を示すものとする。従って、被写体側が前方となり、撮影者側が後方となる。
【００４６】
尚、以下に示す前後上下左右の方向は説明の便宜上のものであり、本技術の実施に関しては、これらの方向に限定されることはない。
【００４７】
［電子機器の概略構成］
電子機器（デジタルスチルカメラ）１は、図１及び図２に示すように、扁平な横長の矩形状に形成された筐体２と筐体２に支持された鏡筒部３とを有している。鏡筒部３は、例えば、筐体２に対して前後方向において伸縮可能とされ、非撮影時等に筐体２に収納され、撮影時等に筐体２から前方へ突出される。
【００４８】
筐体２の前面２ａにはフラッシュ４が設けられている。筐体２の上面２ｂにはシャッター釦や電源釦等として機能する各種の操作部５、６、７が設けられている。
【００４９】
筐体２の後面２ｃにはディスプレイ８が配置されている。筐体２の後面２ｃにはディスプレイ８の側方に操作ダイヤル９、１０や各種の操作釦１１、１１、・・・が配置されている。操作ダイヤル９、１０や操作釦１１、１１、・・・に対する操作によって、撮影時における撮影モードの切替や他の各種のモードの切替等を行うことが可能とされている。
【００５０】
操作部５、６、７は操作ユニット１２の一部として構成されている。
【００５１】
［操作ユニットの構成］
操作ユニット１２はプレート１３上に所要の各部材が配置されて成る（図３及び図４参照）。
【００５２】
プレート１３は金属材料によって上下方向を向く横長の板状に形成されている。
【００５３】
プレート１３上には横長の回路基板１４が取り付けられている。回路基板１４上には接点スイッチ１４ａ、１４ｂ、１４ｃが左右に離隔して搭載されている。回路基板１４の左右方向における中央に位置する接点スイッチ１４ｂの周囲には、複数の接点端子１４ｄ、１４ｅ、１４ｆ、１４ｇが形成されている。
【００５４】
プレート１３にはベース板１５が回路基板１４の上側に取り付けられている。ベース板１５は樹脂材料によって横長の形状に形成され、左右方向における中央部が操作支持部１６として設けられ、操作支持部１６の左側の部分が連結支持部１７として設けられ、操作支持部１６の右側の部分が取付部１８として設けられている。
【００５５】
操作支持部１６の中央部には上下に貫通された軸挿通孔１６ａが形成されている。操作支持部１６の前端部には周方向に延びる配置用溝１６ｂが形成され、配置用溝１６ｂは上方に開口されている。操作支持部１６の右端部には周方向に延びるバネ配置溝１６ｃが形成され、バネ配置溝１６ｃは上方に開口されている。
【００５６】
操作支持部１６には軸挿通孔１６ａの周囲に支持用孔１６ｄ、１６ｄ、１６ｄが周方向に離隔して形成されている。操作支持部１６における支持用孔１６ｄ、１６ｄ、１６ｄの外周側の部分は、それぞれ周方向に延びる摺動支持部１６ｅ、１６ｅ、１６ｅとして設けられ、摺動支持部１６ｅ、１６ｅ、１６ｅにはそれぞれ内方に開口され支持用孔１６ｄ、１６ｄ、１６ｄに連通する挿通用切欠１６ｆ、１６ｆ、１６ｆが形成されている。
【００５７】
連結支持部１７には上下に貫通された操作部配置孔１７ａが形成されている。
【００５８】
取付部１８には上下に貫通された受部配置孔１８ａが形成されている。
【００５９】
ベース板１５の操作支持部１６には操作摘子１９が回転自在に支持され、操作摘子１９は軸挿通孔１６ａを支点とした周方向に回転可能とされる。操作摘子１９はズーミングを行うためのズーム摘子として機能する。
【００６０】
操作摘子１９は、図３、図５及び図６に示すように、上下方向を向く略円板状に形成されたベース面部２０とベース部２０の外周部における一部を除いた部分から上方へ突出された周面部２１とベース面部２０から右方へ突出されたバネ配置部２２とを有している。
【００６１】
ベース面部２０の外周寄りの位置にはそれぞれ上方へ突出されたガイド部２３、２３、２３が周方向に離隔して設けられている。
【００６２】
ベース面部２０には外周面から外方へ突出されたバネ支持突部２０ａが設けられている。ベース面部２０にはそれぞれ外周部の下面から外方へ突出された被支持片２０ｂ、２０ｂ、２０ｂが周方向に離隔して設けられている。ベース面部２０の中心部には上下に貫通された貫通孔２０ｃが形成されている。
【００６３】
ベース面部２０の外周部には上方へ突出された結合用突部２４が設けられ、結合用突部２４は周面部２１が設けられていない部分に位置されている。
【００６４】
ベース面部２０の下面には図示しない接点バネが取り付けられており、接点バネは接点端子１４ｄ、１４ｅ、１４ｆのうちの何れか一つと接点端子１４ｇに接触される。
【００６５】
バネ配置部２２はコ字状に形成され、ベース面部２０に連続し周方向に離隔された突出部２２ａ、２２ａと突出部２２ａ、２２ａの外側の端部間に設けられた外側部２２ｂとを有している。
【００６６】
操作摘子１９は被支持片２０ｂ、２０ｂ、２０ｂがそれぞれベース板１５の挿通用切欠１６ｆ、１６ｆ、１６ｆに上方から挿通され、周方向へ回転されることにより被支持片２０ｂ、２０ｂ、２０ｂがそれぞれ摺動支持部１６ｅ、１６ｅ、１６ｅに摺動自在に係合されてベース板１５に回転自在に支持される。
【００６７】
操作摘子１９がベース板１５に支持された状態において、コイルバネ２５がベース板１５のバネ配置溝１６ｃ及び操作摘子１９のバネ配置部２２の内側に配置される。コイルバネ２５は、例えば、圧縮コイルバネであり、コイルバネ２５によって操作摘子１９がベース板１５に対して回転方向における両方向に付勢される。
【００６８】
即ち、操作摘子１９が回転方向における一方へ回転されるとコイルバネ２５がバネ配置部２２の一方の突出部２２ａに押し付けられて操作摘子１９が回転された方向と反対方向へ付勢される。また、操作摘子１９が回転方向における他方へ回転されるとコイルバネ２５がバネ配置部２２の他方の突出部２２ａに押し付けられて操作摘子１９が回転された方向と反対方向へ付勢される。従って、操作摘子１９は回転方向における中央の位置を基準として、回転方向における何れの方向へ回転されたときにも、元の中央の位置に戻る方向へ付勢される。
【００６９】
連結支持部１７には操作部配置孔１７ａに操作部５が配置される。操作部５が押圧操作されると、接点スイッチ１４ａが操作部５によって押圧されて、操作部５の操作に応じた所定の処理が実行される。
【００７０】
取付部１８には押さえ板２６が上方から取り付けられる（図３及び図４参照）。押さえ板２６は枠状の外周部２６ａと外周部２６ａの内側に位置された受部２６ｂと外周部２６ａから左方へ突出された押さえ部２６ｃとを有し、外周部２６ａが取付部１８の上面に接した状態で取り付けられている。
【００７１】
受部２６ｂは後端部が外周部２６ａに連続されており、外周部２６ａに対して略上下方向へ移動するように弾性変形可能とされている。受部２６ｂは取付部１８の受部配置孔１８ａに位置される。
【００７２】
押さえ板２６が取付部１８に取り付けられた状態においては、ベース板１５のバネ配置溝１６ｃ及び操作摘子１９のバネ配置部２２に配置されたコイルバネ２５が押さえ部２６ｃによって上方から押さえられる。従って、コイルバネ２５のバネ配置溝１６ｃ及びバネ配置部２２からの脱落が防止される。
【００７３】
受部２６ｂ上には操作釦７が配置されている。操作部７が押圧操作されると、受部２６ｂが弾性変形されて接点スイッチ１４ｃが押圧され、操作部７の操作に応じた所定の処理が実行される。
【００７４】
操作摘子１９には回転カム２７が回転自在に支持される。回転カム２７は、図５乃至図７に示すように、略円環状の外側環状部２８と、外側環状部２８の内側に位置された略円環状の内側環状部２９と、外側環状部２８と内側環状部２９とを連結する連結部３０、３０、３０とを有している。連結部３０、３０、３０は周方向に等間隔に離隔して位置されている。
【００７５】
外側環状部２８には周方向に等間隔に離隔して溝状又は穴状のカム部３１、３１、３１が形成されている。カム部３１は外側環状部２８の半径方向に貫通され周方向に行くに従って上下に変位するように傾斜され、上端部が上側係合部３１ａとされ、下端部が下側係合部３１ｂとされている。
【００７６】
外側環状部２８には外方へ突出されたバネ掛け突部２８ａが設けられている。
【００７７】
回転カム２７には連結部３０、３０、３０間にそれぞれ上下に貫通された三つの空間が形成され、これらの空間がそれぞれ挿入孔２７ａ、２７ａ、２７ａとして形成されている。
【００７８】
回転カム２７は操作摘子１９における周面部２１の内側に配置され、操作摘子１９に対して周方向へ回転可能とされる。回転カム２７が操作摘子１９に支持された状態においては、挿入孔２７ａ、２７ａ、２７ａにそれぞれガイド部２３、２３、２３が位置される。
【００７９】
回転カム２７が操作摘子１９に支持された状態においては、ベース板１５の配置用溝１６ｂに、例えば、引張コイルバネである付勢バネ３２が回転カム２７の外周部に沿って配置され、付勢バネ３２が操作摘子１９のバネ支持突部２０ａと回転カム２７のバネ掛け突部２８ａとに支持される。従って、回転カム２７が付勢バネ３２によって平面で見て時計回り方向へ付勢される。
【００８０】
回転カム２７にはキートップ３３が上下方向へ移動自在に支持される。キートップ３３は、上記した操作部６として機能し、操作板３４と被支持部材３５が上下で結合されて成る。尚、キートップ３３は操作板３４と被支持部材３５が一体に形成されて構成されていてもよい。
【００８１】
操作板３４は上下方向を向き、被支持部材３５に接着等によって結合されている。
【００８２】
被支持部材３５は上下方向を向く板状のベース板部３６とベース板３６の中央部から下方へ突出された操作軸３７とベース板部３６の外周部からそれぞれ下方へ突出された脚部３８、３８、３８と脚部３８、３８、３８の下端部からそれぞれ外方へ突出された軸状のカム係合部３９、３９、３９とから成る。
【００８３】
ベース板部３６の外周部にはそれぞれ外方に開口された挿入用切欠３６ａ、３６ａ、３６ａが形成され、挿入用切欠３６ａ、３６ａ、３６ａは周方向に離隔して位置されている。
【００８４】
脚部３８、３８、３８は周方向に離隔して位置されている。
【００８５】
キートップ３３は脚部３８、３８、３８がそれぞれ挿入孔２７ａ、２７ａ、２７ａに上側から挿入され、それぞれカム係合部３９、３９、３９が内側からカム部３１、３１、３１に挿入されて摺動自在に係合され、回転カム２７に上下方向へ移動自在に支持される。
【００８６】
キートップ３３が回転カム２７に支持された状態においては、キートップ３３の挿入用切欠３６ａ、３６ａ、３６ａにそれぞれ操作摘子１９のガイド部２３、２３、２３が挿入され、ガイド部２３、２３、２３によってキートップ３３が案内されて上下方向へ移動可能とされている。このとき操作軸３７は回転カム２７の内側環状部２９及び操作摘子１９の貫通孔２０ｃに順に挿通され、下端面が回路基板１４に搭載された接点スイッチ１４ｂに対向して位置される。
【００８７】
電子機器１にあっては、上記したように、ズーミングを行うためのズーム摘子として機能する操作摘子１９にキートップ３３を上下方向へ案内するガイド部２３、２３、２３を設けているため、ガイド部２３、２３、２３を設けるための専用の部材を必要とせず、部品点数の削減及び小型化を図ることができる。
【００８８】
上記したように、回転カム２７及びキートップ３３は操作摘子１９上に配置されて支持される。従って、操作摘子１９は回転操作されるズーム摘子として機能する他に、回転カム２７及びキートップ３３を支持するベース体としても機能する。
【００８９】
このように電子機器１にあっては、回転操作されるズーム摘子として機能する操作摘子１９を、回転カム２７及びキートップ３３を支持するベース体として用いている。
【００９０】
従って、一層の部品点数の削減及び一層の小型化を図ることができる。
【００９１】
キートップ３３の操作板３４はキーホルダー４０に保持される（図３及び図４参照）。キーホルダー４０は外形が略円形状のベーストップ４１とベーストップ４１の外周部における一部を除いた部分から下方へ突出された周状部４２とから成る。
【００９２】
ベーストップ４１には操作板３４と同じ形状に形成された配置孔４１ａが形成され、配置孔４１ａに操作板３４が挿入されて配置される。ベーストップ４１の外周部には外方に開口された結合用切欠４１ｂが形成されている。
【００９３】
キーホルダー４０は周状部４２が操作摘子１９の外周面の一部を外方から覆うようにして操作摘子１９に取り付けられ、結合用切欠４１ｂに操作摘子１９の結合用突部２４が挿入されて操作摘子１９に結合される。従って、キーホルダー４０とキートップ３３と回転カム２７は操作摘子１９が回転されたときに操作摘子１９と一体になって回転される。
【００９４】
［操作ユニットの動作］
以下に、操作ユニット１２の操作部６（キートップ３３）が押圧操作されたときの動作について説明する（図８乃至図１３参照）。
【００９５】
先ず、キートップ３３が押圧操作される前の非押圧操作状態について説明する（図８乃至図１０参照）。
【００９６】
非押圧操作状態においては、回転カム２７が付勢バネ３２の付勢力によって平面で見て時計回り方向（Ｒ１方向）における回転端に位置されている。
【００９７】
従って、キートップ３３はカム係合部３９、３９、３９がそれぞれ回転カム２７におけるカム部３１、３１、３１の上側係合部３１ａ、３１ａ、３１ａに係合され、上方の移動端に保持されている。このとき操作軸３７は回路基板１４に搭載された接点スイッチ１４ｂの真上において離隔して位置されている。
【００９８】
上記した非押圧操作状態において、操作板３４が下方へ押圧されると、キートップ３３が下方へ移動されていき、被支持部材３５のカム係合部３９、３９、３９によってそれぞれカム部３１、３１、３１が下方へ押圧され、回転カム２７が付勢バネ３２の付勢力に反して操作摘子１９に対して平面で見て反時計回り方向（Ｒ２方向）へ回転されていく。
【００９９】
キートップ３３はカム係合部３９、３９、３９がそれぞれカム部３１、３１、３１の下側係合部３１ｂ、３１ｂ、３１に係合されるまで下方へ移動され、下方の移動端に位置される（図１１乃至図１３参照）。
【０１００】
キートップ３３が下方の移動端まで移動されたときには、操作軸３７が回路基板１４に搭載された接点スイッチ１４ｂに接触され、接点スイッチ１４ｂが操作されて操作部６の操作に応じた所定の処理、例えば、画像の撮影が行われる。
【０１０１】
操作板３４に対する押圧が解除されると、回転カム２７が付勢バネ３２の付勢力によって操作摘子１９に対してＲ１方向へ回転されていき、キートップ３３が上方へ移動されていく。
【０１０２】
キートップ３３はカム係合部３９、３９、３９がそれぞれカム部３１、３１、３１の上側係合部３１ｂ、３１ｂ、３１に係合されるまで上方へ移動され、上方の移動端に位置されて被操作状態に戻る（図８乃至図１０参照）。
【０１０３】
次に、操作ユニット１２の操作摘子１９が回転操作されたときの動作について説明する（図１４乃至図１７参照）。
【０１０４】
先ず、操作摘子１９が回転操作される前の非回転操作状態について説明する（図１４及び図１５参照）。
【０１０５】
非回転操作状態においては、回転カム２７が付勢バネ３２の付勢力によって平面で見て時計回り方向（Ｒ１方向）における回転端に位置されている。
【０１０６】
従って、キートップ３３はカム係合部３９、３９、３９がそれぞれ回転カム２７におけるカム部３１、３１、３１の上側係合部３１ａ、３１ａ、３１ａに係合され、上方の移動端に保持されている。このとき操作軸３７は回路基板１４に搭載された接点スイッチ１４ｂの真上において離隔して位置されている。
【０１０７】
非回転操作状態においては、操作摘子１９が回転方向における中央に位置され、操作摘子１９の下面に取り付けられた接点バネが、例えば、回路基板１４に形成された接点端子１４ｅと接点端子１４ｇに接触されている。従って、ズーム位置が望遠端と広角端の間の中間焦点位置に設定されている。
【０１０８】
上記した非回転操作状態において、操作摘子１９が回転方向におけるＲ１方向へ操作されると、回転カム２７、キートップ３３及びキーホルダー４０が操作摘子１９と一体になってコイルバネ２５の付勢力に反してＲ１方向へ回転される（図１６及び図１７参照）。操作摘子１９がＲ１方向へ回転されると、接点バネが接点端子１４ｄと接点端子１４ｇに接触され、ズーム位置が、例えば、望遠端に近付く位置とされる。
【０１０９】
操作摘子１９に対する回転方向におけるＲ１方向への操作が解除されると、回転カム２７、キートップ３３及びキーホルダー４０が操作摘子１９と一体になってコイルバネ２５の付勢力によってＲ２方向へ回転されて非回転操作状態に戻る（図１４及び図１５参照）。従って、接点バネは再び接点端子１４ｅと接点端子１４ｇに接触される。
【０１１０】
逆に、非回転操作状態において、操作摘子１９が回転方向におけるＲ２方向へ操作されると、回転カム２７、キートップ３３及びキーホルダー４０が操作摘子１９と一体になってコイルバネ２５の付勢力に反してＲ２方向へ回転される。操作摘子１９がＲ２方向へ回転されると、接点バネが接点端子１４ｆと接点端子１４ｇに接触され、ズーム位置が、例えば、広角端に近付く位置とされる。
【０１１１】
操作摘子１９に対する回転方向におけるＲ２方向への操作が解除されると、回転カム２７、キートップ３３及びキーホルダー４０が操作摘子１９と一体になってコイルバネ２５の付勢力によってＲ１方向へ回転されて非回転操作状態に戻る（図１４及び図１５参照）。従って、接点バネは再び接点端子１４ｅと接点端子１４ｇに接触される。
【０１１２】
［その他］
上記には、直線状に傾斜されたカム部３１を例として示したが、カム部は以下のような形状に形成されていてもよい（図１８及び図１９参照）。
【０１１３】
例えば、カム部３１Ａとして傾斜部３１ｃと傾斜部３１ｃの下端に連続する上下方向に延びる垂直部３１ｄを有するように形成することが可能である（図１８参照）。カム部３１Ａを用いることにより、キートップ３３が押圧操作されたときに、操作の終了直前においてキートップ３３の移動量及び移動速度が変化し、カム部３１が用いられた場合とは異なる操作感が得られる。例えば、操作者には操作が行われた手応えが触感として伝達される所謂クリック感が生じる。
【０１１４】
また、例えば、カム部３１Ｂとしてそれぞれ傾斜角度の異なる第１の傾斜部３１ｅと第２の傾斜部３１ｆと第３の傾斜部３１ｇを有するように形成することが可能である（図１９参照）。カム部３１Ｂを用いることにより、キートップ３３が押圧操作されたときに、操作の途中及び操作の終了直前においてそれぞれキートップ３３の移動量及び移動速度が変化し、カム部３１、３１Ａが用いられた場合とは異なる操作感が得られる。例えば、操作者には操作が行われた手応えが触感として伝達される所謂クリック感が生じる。
【０１１５】
尚、上記には、キートップ３３のカム係合部３９と回転カム２７のカム部３１、３１Ａ、３１Ｂをそれぞれ三つ形成した例を示したが、カム係合部３９とカム部３１、３１Ａ、３１Ｂの数は三つに限られることはなく、それぞれ三つ以上であれば任意の数を形成することが可能である。
【０１１６】
また、上記には、カム係合部３９が軸状に形成されカム部３１、３１Ａ、３１Ｂが溝状又は穴状に形成された例を示したが、逆に、カム係合部が溝状又は穴状に形成されカム部が軸状に形成されてもよい。
【０１１７】
［電子機器の回路構成］
図２０に、電子機器１を適用した撮像装置（ビデオカメラ）のブロック図の一例を示す。
【０１１８】
撮像装置（ビデオカメラ）１００は、撮像機能を担うカメラブロック５０と、撮影された画像信号のアナログ−デジタル変換等の信号処理を行うカメラ信号処理部５１と、画像信号の記録再生処理を行う画像処理部５２とを有している。また、撮像装置１００は、撮影された画像等を表示する液晶パネル等の画像表示部５３と、メモリーカード１０００への画像信号の書込及び読出を行うＲ／Ｗ（リーダ／ライタ）５４と、撮像装置の全体を制御するＣＰＵ（Central Processing Unit）５５と、ユーザーによって所要の操作が行われる各種のスイッチ等から成る入力部５６と、カメラブロック５０に配置されたレンズの駆動を制御するレンズ駆動制御部５７とを備えている。
【０１１９】
カメラブロック５０は、レンズ群５８を含む光学系や、ＣＣＤ（Charge Coupled Device）やＣＭＯＳ（Complementary Metal-Oxide Semiconductor）等の撮像素子５９等とによって構成されている。
【０１２０】
カメラ信号処理部５１は、撮像素子５９からの出力信号に対するデジタル信号への変換、ノイズ除去、画質補正、輝度・色差信号への変換等の各種の信号処理を行う。
【０１２１】
画像処理部５２は、所定の画像データーフォーマットに基づく画像信号の圧縮符号化・伸張復号化処理や解像度等のデーター仕様の変換処理等を行う。
【０１２２】
画像表示部５３はユーザーの入力部５６に対する操作状態や撮影した画像等の各種のデーターを表示する機能を有している。
【０１２３】
Ｒ／Ｗ５４は、画像処理部５２によって符号化された画像データーのメモリーカード１０００への書込及びメモリーカード１０００に記録された画像データーの読出を行う。
【０１２４】
ＣＰＵ５５は、撮像装置１００に設けられた各回路ブロックを制御する制御処理部として機能し、入力部５６からの指示入力信号等に基づいて各回路ブロックを制御する。
【０１２５】
入力部５６は、例えば、シャッター操作を行うためのシャッターレリーズボタンや、動作モードを選択するための選択スイッチ等によって構成され、ユーザーによる操作に応じた指示入力信号をＣＰＵ５５に対して出力する。
【０１２６】
レンズ駆動制御部５７は、ＣＰＵ５５からの制御信号に基づいてレンズ群５８の各レンズを駆動する図示しないモータ等を制御する。
【０１２７】
メモリーカード１０００は、例えば、Ｒ／Ｗ５４に接続されたスロットに対して着脱可能な半導体メモリーである。
【０１２８】
以下に、撮像装置１００における動作を説明する。
【０１２９】
撮影の待機状態では、ＣＰＵ５５による制御の下で、カメラブロック５０において撮影された画像信号が、カメラ信号処理部５１を介して画像表示部５３に出力され、カメラスルー画像として表示される。また、入力部５６からのズーミングのための指示入力信号が入力されると、ＣＰＵ５５がレンズ駆動制御部５７に制御信号を出力し、レンズ駆動制御部５７の制御に基づいてレンズ群５８の所定のレンズが移動される。
【０１３０】
入力部５６からの指示入力信号によりカメラブロック５０の図示しないシャッターが動作されると、撮影された画像信号がカメラ信号処理部５１から画像処理部５２に出力されて圧縮符号化処理され、所定のデーターフォーマットのデジタルデーターに変換される。変換されたデーターはＲ／Ｗ５４に出力され、メモリーカード１０００に書き込まれる。
【０１３１】
フォーカシングは、ＣＰＵ５５からの制御信号に基づいてレンズ駆動制御部５７がレンズ群５８の所定のレンズを移動させることにより行われる。
【０１３２】
メモリーカード１０００に記録された画像データーを再生する場合には、入力部５６に対する操作に応じて、Ｒ／Ｗ５４によってメモリーカード１０００から所定の画像データーが読み出され、画像処理部５２によって伸張復号化処理が行われた後、再生画像信号が画像表示部５３に出力されて再生画像が表示される。
【０１３３】
［まとめ］
以上に記載した通り、電子機器１にあっては、キートップ３３に周方向において離隔する三つのカム係合部３９、３９、３９を設け、回転カム２７にカム係合部３９、３９、３９がそれぞれ摺動自在に係合されるカム部３１、３１、３１（３１Ａ、３１Ａ、３１Ａ、３１Ｂ、３１Ｂ、３１Ｂ）を形成してキートップ３３が押圧操作されたときに回転カム２７が回転されるようにしている。
【０１３４】
従って、キートップ３３が押圧操作されたときに傾斜され難くキートップ３３の安定した動作が行われ誤操作を防止することができると共にキートップ３３の傾斜を防止するための押圧方向に延びるガイド部を設ける必要がなく電子機器１の小型化を図ることができる。
【０１３５】
また、カム係合部３９、３９、３９がそれぞれキートップ３３の外周部に設けられ、カム部３１、３１、３１（３１Ａ、３１Ａ、３１Ａ、３１Ｂ、３１Ｂ、３１Ｂ）が回転カム２７の外周部に形成されているため、キートップ３３が押圧操作されたときに傾斜されることがなく、キートップ３３の一層安定した動作を確保することができる。
【０１３６】
さらに、カム部３１、３１、３１（３１Ａ、３１Ａ、３１Ａ、３１Ｂ、３１Ｂ、３１Ｂ）が回転カム２７の軸方向に対して傾斜された溝状又は穴状とされカム係合部３９、３９、３９が溝状又は穴状に摺動自在に係合される軸状に形成されているため、回転カム２７とキートップ３３が簡素な構造によって係合され、電子機器１の構造の簡素化を図ることができる。
【０１３７】
さらにまた、付勢バネ３２が回転カム２７の外周部に沿って配置されているため、付勢バネ３２が回転カム２７から外方へ突出して配置されず、電子機器１の小型化を図ることができる。
【０１３８】
加えて、操作摘子１９が回転されるときにはキートップ３３と回転カム２７が操作摘子１９と一体になって回転されるため、操作摘子１９の回転がキートップ３３の操作に支障を来たすことがなく、操作摘子１９とキートップ３３の動作の信頼性を確保することができる。
【０１３９】
［本技術］
本技術は、以下のような構成とすることができる。
【０１４０】
（１）内部に所定の各部が配置された筐体と、前記筐体に配置された操作ユニットとを備え、前記操作ユニットが、押圧操作されて移動され移動方向を軸方向とした軸回り方向において離隔する少なくとも三つのカム係合部を有するキートップと、前記カム係合部がそれぞれ摺動自在に係合され前記軸回り方向において離隔する少なくとも三つのカム部を有すると共に前記キートップが押圧操作されたときに前記カム係合部と前記カム部が摺動されて前記軸回り方向へ回転される回転カムと、前記キートップを押圧操作されて移動される方向と反対方向へ付勢する付勢バネとを備えた電子機器。
【０１４１】
（２）前記カム係合部がそれぞれ前記キートップの外周部に設けられ、前記カム部がそれぞれ前記回転カムの外周部に設けられた前記（１）に記載の電子機器。
【０１４２】
（３）前記カム係合部と前記カム部の一方が前記軸方向に対して傾斜された溝状又は穴状に形成され他方が軸状に形成された前記（１）又は前記（２）の何れかに記載の電子機器。
【０１４３】
（４）前記付勢バネが前記回転カムの外周部に沿って配置された前記（１）から前記（３）の何れかに記載の電子機器。
【０１４４】
（５）前記操作ユニットに前記回転カムを回転自在に支持するベース体が設けられ、前記ベース体に前記キートップを前記移動方向へ案内するガイド部を設けた前記（１）から前記（４）の何れかに記載の電子機器。
【０１４５】
（６）前記操作ユニットに前記キートップが押圧操作されたときの機能と異なる機能を実行する操作摘子が設けられ、前記操作摘子を前記ベース体として用いた前記（５）に記載の電子機器。
【０１４６】
（７）前記操作摘子が前記軸回り方向へ回転されて操作され、前記キートップと前記回転カムが前記操作摘子と一体になって回転されるようにした前記（１）から前記（６）に記載の電子機器。
【０１４７】
（８）押圧操作されて移動され移動方向を軸方向とした軸回り方向において離隔する少なくとも三つのカム係合部を有するキートップと、前記カム係合部がそれぞれ係合され前記軸回り方向において離隔する少なくとも三つのカム部を有すると共に前記キートップが押圧操作されたときに前記カム係合部の前記カム部に対する作用により前記軸回り方向へ回転される回転カムと、前記キートップを押圧操作されて移動される方向と反対方向へ付勢する付勢バネとを備えた操作ユニット。
【０１４８】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１４９】
【図１】図２乃至図２０と共に本技術電子機器を示すものであり、本図は、電子機器の斜視図である。
【図２】図１とは反対側から見た状態で示す電子機器の斜視図である。
【図３】操作ユニットの分解斜視図である。
【図４】操作ユニットの拡大斜視図ある。
【図５】キートップと回転カムと操作摘子等を被支持部材が回転カムに支持された状態で示す拡大分解斜視図である。
【図６】被支持部材と回転カムと操作摘子等を示す拡大分解斜視図である。
【図７】キートップと回転カムと操作摘子等を示す拡大斜視図である。
【図８】図９及び図１０と共にキートップが押圧操作される前の状態を示すものであり、本図は、拡大斜視図である。
【図９】概略側面図である。
【図１０】概略平面図である。
【図１１】図１２及び図１３と共にキートップが押圧操作された状態を示すものであり、本図は、拡大斜視図である。
【図１２】概略側面図である。
【図１３】概略平面図である。
【図１４】図１５と共に操作摘子が回転操作される前の状態を示すものであり、本図は、概略側面図である。
【図１５】概略平面図である。
【図１６】図１７と共に操作摘子が回転操作された状態を示すものであり、本図は、概略側面図である。
【図１７】概略平面図である。
【図１８】カム部の別の例をカム係合部と共に示す概念図である。
【図１９】カム部のまた別の例をカム係合部と共に示す概念図である。
【図２０】電子機器のブロック図である。
【符号の説明】
【０１５０】
１…電子機器、２…筐体、１２…操作ユニット、１９…操作摘子、２３…ガイド部、２７…回転カム、３１…カム部、３２…付勢バネ、３３…キートップ、３９…カム係合部、３１Ａ…カム部、３１Ｂ…カム部、１００…撮像装置
【図１】
2012209191.tif 000003
【図２】
2012209191.tif 000004
【図３】
2012209191.tif 000005
【図４】
2012209191.tif 000006
【図５】
2012209191.tif 000007
【図６】
2012209191.tif 000008
【図７】
2012209191.tif 000009
【図８】
2012209191.tif 000010
【図９】
2012209191.tif 000011
【図１０】
2012209191.tif 000012
【図１１】
2012209191.tif 000013
【図１２】
2012209191.tif 000014
【図１３】
2012209191.tif 000015
【図１４】
2012209191.tif 000016
【図１５】
2012209191.tif 000017
【図１６】
2012209191.tif 000018
【図１７】
2012209191.tif 000019
【図１８】
2012209191.tif 000020
【図１９】
2012209191.tif 000021
【図２０】
2012209191.tif 000022